(57)【要約】      （修正有）【課題】脱水工程の圧入時と圧搾時にろ板からの反力を受ける装置を切り替えるフィルタープレスの脱水方法並びに閉板装置を提供する。【解決手段】ろ板４の端部の締付装置台５をろ板４側に移動させて摺動自在に並列したろ板４を閉板し、締付装置台５をレール３に係合させ、締付装置１１を伸長してろ板４と締付装置台５との間に配設したムーバブルヘッド６を増し締めした状態で原液を圧入供給し、その後、ムーバブルヘッド６をレール３に係合させてろ板４の後退を阻止し、締付装置台５の締付装置１１をムーバブルヘッド６から切り離して、締付装置１１にかかる負荷を解除した状態で圧搾脱水を開始するもので、締付装置１１を小型、軽量化でき、大型多室のフィルタープレスで有用となる。【選択図】図８
2014079684.tif 000002
【特許請求の範囲】
【請求項１】
フレーム（２，２）間に橋架した一対のレール（３，３）上に多数のろ板（４…）を開閉自在に並列し、このろ板（４…）の端部にムーバブルヘッド（６）と、ムーバブルヘッド（６）の開板側に締付装置（１１）を設けた締付装置台（５）を摺動自在に並列したフィルタープレスにおいて、
締付装置台（５）をろ板（４）側に移動させて並列ろ板（４…）を閉板し、
この移動させた締付装置台（５）をレール（３）に係合させてろ板（４…）の後退を阻止させ、
次に、締付装置台（５）に配設した締付装置（１１）を伸長して閉板ろ板（４…）とムーバブルヘッド（６）を閉板側に押圧した状態で原液を圧入供給した後、
ムーバブルヘッド（６）をレール（３）に係合させて締付ろ板（４…）の後退を阻止し、
締付装置台（５）の締付装置（１１）をムーバブルヘッド（６）から切り離して、締付装置（１１）にかかる負荷を解除した状態で圧搾脱水を開始する
ことを特徴とするフィルタープレスの脱水方法。
【請求項２】
フレーム（２，２）間に橋架した一対のレール（３，３）上に多数のろ板（４…）を開閉自在に並列し、このろ板（４…）の端部にムーバブルヘッド（６）と、ムーバブルヘッド（６）の開板側に締付装置（１１）を設けた締付装置台（５）を摺動自在に並列したフィルタープレスにおいて、
並列したろ板（４…）を閉板し、
締付装置台（５）に設けたロック（１５）をレール（３）のレールブロック（１８）に係合させて締付装置台（５）の後退を阻止し、
締付装置台（５）に搭載した締付装置（１１）の押圧杆（１３）をムーバブルヘッド（６）の背面に押着して締付装置台（５）に載置した電動機を作動させ、
押圧杆（１３）の突出長さを調整してムーバブルヘッド（６）を介して多数のろ板（４…）を増し締めし、
閉板ろ板（４…）の締付を維持させて原液を圧入供給すると共に、
締付したろ板（４…）をレール（３）の増し締め位置に設けたレールブロック（２３）にムーバブルヘッド（６）のロック（２０）を係合させ、
締付装置台（５）の締付装置（１１）をムーバブルヘッド（６）から切り離し、
締付装置（１１）にかかる負荷を解除した状態で圧搾脱水を開始する
ことを特徴とするフィルタープレスの閉板装置。
【請求項３】
前記ムーバブルヘッド（６）の両肩に揺動自在にロック（２０）を垂下し、ムーバブルヘッド（６）の背面に枢着した電動シリンダ（２１）のピストンロッド（２２）をロック（２０）に連結させて係合装置を構成し、ムーバブルヘッド（６）を増し締めした位置のレール（３）に止着したレールブロック（２３）にロック（２０）を係止させる
ことを特徴とする請求項２に記載のフィルタープレスの閉板装置。
【請求項４】
前記ロック（２０）と係合するレールブロック（２３）を、レール（３）に固定するケース（２５）と、ケース（２５）の上方あるいは下方からケース（２５）の内部へ挿通する調整ボルト（２６）と、ケース（２５）の内部で調整ボルト（２６）に螺着された内部ブロック（２７）と、内部ブロック（２７）の傾斜面と接触してケース（２５）の外部に一部を突出している外部ブロック（２８）で可動レールブロック（２４）を構成し、ロック（２０）との係合面を開閉板方向に調整可能なとした
ことを特徴とする請求項３に記載のフィルタープレスの閉板装置。
【発明の詳細な説明】
【技術分野】
【０００１】
本発明は、脱水工程の圧入時と圧搾時にろ板からの反力を受ける装置を切り替える脱水方法において、圧入時にはろ板反力を締付シリンダで受け、圧搾時にはフィルタープレス本体で反力を受けるフィルタープレスの脱水方法並びに閉板装置に関する。
【背景技術】
【０００２】
多室大型のフィルタープレスにおいて、ろ板を支架したレールに沿って駆動チェーンを張設し、駆動チェーンに連結した締付装置台をろ板方向に移動させてろ板を順次押圧し、締付装置台をレールに係合して後退を阻止した後、締付装置台に搭載した締付装置にてろ板を増し締めする閉板方法は公知である。
【０００３】
特許文献１に記載の締付方法は、締付装置台のスクリューネジでろ板を増し締めした後、ムーバブルヘッドをレールに係合して後退を阻止し、締付装置台の係合を解除して、圧入圧搾を開始するフィルタープレスの締付方法が開示されている。ろ板の反力は、全てムーバブルヘッドを介してフィルタープレス本体で受けるので、締付装置台に搭載する締付装置の容量を小型化できる。
【先行技術文献】
【特許文献】
【０００４】
【特許文献１】特許第３５３９３１０号公報
【発明の概要】
【発明が解決しようとする課題】
【０００５】
特許文献１に開示されているフィルタープレスの締付方法は、ろ板を閉板後にムーバブルヘッドをロックし、圧入圧搾工程を開始するものである。ムーバブルヘッドのロックは、レールに配設しているレールブロックに対して垂直に挿入するので、ある程度の挿入隙間が必要となる。ろ板列に圧入を開始すると、挿入隙間分だけムーバブルヘッドが後退してロックがレールブロックに係合する。したがって、挿入隙間分だけろ板列が広がり、原液の圧入時のシール漏れが発生する。
【０００６】
本発明は、閉板したろ板からの反力が小さい圧入時は、締付シリンダで反力を受け、ろ板からの反力が大きい圧搾時には、締付シリンダを切り離してムーバブルヘッドのロックを介してフィルタープレス本体で反力を受けるように切り替えるフィルタープレスの脱水方法並びに閉板装置を提供する。
【課題を解決するための手段】
【０００７】
本発明に係るフィルタープレスの脱水方法は、フレーム間に橋架した一対のレール上に多数のろ板を開閉自在に並列し、このろ板の端部にムーバブルヘッドと、ムーバブルヘッドの開板側に締付装置を設けた締付装置台を摺動自在に並列したフィルタープレスにおいて、締付装置台をろ板側に移動させて並列ろ板を閉板し、この移動させた締付装置台をレールに係合させてろ板の後退を阻止させ、次に、締付装置台に配設した締付装置を伸長して閉板ろ板とムーバブルヘッドを閉板側に押圧した状態で原液を圧入供給した後、ムーバブルヘッドをレールに係合させて締付ろ板の後退を阻止し、締付装置台の締付装置をムーバブルヘッドから切り離して、締付装置にかかる負荷を解除した状態で圧搾脱水を開始するものである。
【０００８】
フィルタープレスの閉板装置は、フレーム間に橋架した一対のレール上に多数のろ板を開閉自在に並列し、このろ板の端部にムーバブルヘッドと、ムーバブルヘッドの開板側に締付装置を設けた締付装置台を摺動自在に並列したフィルタープレスにおいて、並列したろ板を閉板し、締付装置台に設けたロックをレールのレールブロックに係合させて締付装置台の後退を阻止し、締付装置台に搭載した締付装置の押圧杆をムーバブルヘッドの背面に押着して締付装置台に載置した電動機を作動させ、押圧杆の突出長さを調整してムーバブルヘッドを介して多数のろ板を増し締めし、閉板ろ板の締付を維持させて原液を圧入供給すると共に、締付したろ板をレールの増し締め位置に設けたレールブロックにムーバブルヘッドのロックを係合させ、締付装置台の締付装置をムーバブルヘッドから切り離し、締付装置にかかる負荷を解除した状態で圧搾脱水を開始するもので、締付装置を小型、軽量化できる。
【０００９】
また、ムーバブルヘッドの両肩に揺動自在にロックを垂下し、ムーバブルヘッドの背面に枢着した電動シリンダのピストンロッドをロックに連結させて係合装置を構成し、ムーバブルヘッドを増し締めした位置のレールに止着したレールブロックにロックを係止させるので、圧搾時のろ板の反力をレールブロックを介してフィルタープレス本体で受け、大きな動力を有する抗力を必要としない。
【００１０】
さらに、ロックと係合するレールブロックを、レールに固定するケースと、ケースの上方あるいは下方からケースの内部へ挿通する調整ボルトと、ケースの内部で調整ボルトに螺着された内部ブロックと、内部ブロックの傾斜面と接触してケースの外部に一部を突出している外部ブロックで可動レールブロックを構成し、ロックとの係合面を開閉板方向に調整可能とすると、増し締め後のムーバブルヘッドの停止位置に応じてレールブロックを前後に調整できるので、ろ布、ダイアフラムの圧縮代の変動およびろ過室の増減に対応できる。
【発明の効果】
【００１１】
本発明に係るフィルタープレスの脱水方法は、原液の圧入時と圧搾時とでろ板からの反力を受ける装置を切り替えることができる。原液の圧入時にはろ板からの小さな反力を受けるだけでよいので、締付装置で受け止める。締付装置は小容量、軽量化が可能となる。圧搾時にはムーバブルヘッドをフィルタープレス本体にロックし、締付シリンダと切り離すことによって、圧搾の大きな反力（背圧）をムーバブルヘッドで受け止める。ムーバブルヘッドをフィルタープレス本体（レール）に機械的に係合させるので、特別な抗力を必要としない。したがって、締付装置の小型・軽量化により駆動チェーンによる締付装置台の移動が可能で、外方に大きく突出する締付シリンダが不要になり、フィルタープレス全長が短縮でき、大きな据付面積を必要としない。フィルタープレスの大型多室化が可能となる。
【図面の簡単な説明】
【００１２】
【図１】この発明に係るフィルタープレスの概略側面図である。
【図２】同じく、締付シリンダを収縮させた状態の要部平面図である。
【図３】同じく、締付シリンダを伸長させた状態の要部平面図である。
【図４】同じく、係合装置を配設した締付装置台の背面図である。
【図５】同じく、係合装置を配設した締付装置台の平面図である。
【図６】同じく、係合装置を配設したムーバブルヘッドの背面図である。
【図７】同じく、可動式レールブロックの詳細図である。
【図８】同じく、締付シリンダをムーバブルヘッドから切り離した状態の要部平面図である。
【発明を実施するための形態】
【００１３】
この発明に係るフィルタープレスを図面に基づき詳述すると、まず、図１はフィルタープレスのろ板を閉板した状態を示す概略側面図である。フィルタープレス１は前後に立設したフレーム２，２間に橋架した一対のレール３，３上に多数のろ板４が並列してあり、このろ板４…の開板側の端部にムーバブルヘッド６を並設している。ムーバブルヘッド６の開板側には締付装置１１を搭載した締付装置台５を摺動自在に並列している。
前後のフレーム２，２の上部に設けたスプロケット７にエンドレス状に掛け回した駆動チェーン８をレール３に沿って張設している。そして、駆動チェーン８の一端が締付装置台５の適所に連結してあり、一方のスプロケット７に連動連結した駆動機９で駆動チェーン８を回動させて、締付装置台５がレール３上を移動して、ろ板４を開閉板させる。
【００１４】
閉板時は、締付装置台５がろ板４側に移動し、順次ろ板４…を閉板させる。閉板したろ板４…で形成したろ過室内に原液を供給し、ろ布（図示せず）で固液分離を行う。
開板時は、ろ板４…とムーバブルヘッド６をろ板連結具１０でルーズに連結してあり、端部のろ板４を開板方向に移動させた時に、ろ板４…が順次開板してろ板４，４間に所定の間隔が開けられるようにしている。具体的には、ムーバブルヘッド６の締付装置１１が押着している背面に、締付装置１１の先端部を画設するように締付シリンダ連結具１２を設けて、締付装置台５の開板動作にムーバブルヘッド６およびろ板４…を連動させている。締付装置１１の先端部はフランジ状に拡開しており、駆動チェーン８で締付装置台５を開板方向に移動すると、締付装置１１の先端部が締付シリンダ連結具１２に係合してムーバブルヘッド６を開板方向に移動させる。
脱水終了後、ろ布で固液分離された脱水ケーキは、ろ板を開板して下方へ排出する。
【００１５】
図２、３は締付装置の要部平面図であって、図２は締付シリンダを収縮させた状態、図３は締付シリンダを伸長させた状態である。締付装置台５の背面に締付装置１１を搭載している。締付装置１１は伸縮自在な押圧装置、例えばシリンダ等により構成されており、押圧杆１３が締付装置台５を貫通して、先端部をムーバブルヘッド６の背面に押着している。本実施例では、締付装置１１に電動シリンダを用いているが、油圧シリンダ、パンタグラフ等の周知の伸縮自在な締付装置を用いてもよい。
締付装置台５に載置している電動機１４を作動させると、締付装置１１のボールネジ（図示せず）が回転して押圧杆１３が伸縮する。押圧杆１３の突出長さを調整することで、ムーバブルヘッド６を介してろ板４…を増し締めする。
締付装置台５に搭載する締付装置１１は、ろ板４の大きさや数量に応じて、適宜、搭載数及び搭載位置を選択できる。
【００１６】
図４は係合装置を配設した締付装置台の背面図であって、係合装置は締付装置台５の両肩より揺動自在に垂下したロック１５と、このロック１５に連結してその後端を締付装置台５の背面に枢着した電動シリンダ１６とから構成している。締付装置台５の両肩より角板状のロック１５が揺動自在に垂下してあり、締付装置台５の背面に枢着した電動シリンダ１６のピストンロッド１７がロック１５の中間部に連結している。そして、ピストンロッド１７を伸縮させて、ロック１５を締付装置台５の側面への回動と、締付装置台５の背面への後退とを電動シリンダ１６を作動させて行なうようにしている。
【００１７】
図５は係合装置を配設した締付装置台の平面図であって、ろ板４…を閉板した締付装置台５に対応する位置のレール３にレールブロック１８が止着してあり、ロック１５を回動させてレールブロック１８の前面に挿入する。ロック１５の後面とレールブロック１８の前面が係合し、締付装置台５の後退を阻止するようにしている。ロック１５はレール３側に突出してレールブロック１８と係合するものであれば形状は限定しない。
【００１８】
図６は係合装置を配設したムーバブルヘッドの背面図であって、係合装置は締付装置台５と同様にムーバブルヘッド６の両肩より揺動自在に垂下したロック２０と、このロック２０に連結してその後端をムーバブルヘッド６の背面に枢着した電動シリンダ２１とから構成している。ピストンロッド２２を伸縮させて、ロック２０をムーバブルヘッド６の側面への回動と、ムーバブルヘッド６の背面への後退とを電動シリンダ２１を作動させて行なうようにしている。締付装置１１によりろ板４…を増し締めした位置に対応するレール３にレールブロック２３が配設してあり、ロック２０を回動させてレールブロック２３の前面に挿入する。ロック２０の後面とレールブロック２３の前面が係合し、ムーバブルヘッド６の後退を阻止させ、ろ板４…の閉板を維持するものである。
【００１９】
本実施例では対向するレール３，３の内側にそれぞれ上下並列に２段のレールブロック１８，１８、２３，２３を止着している。止着方法はろ板４からの圧入・圧搾反力に抗するものであれば、溶接、螺着等の限定はしない。特にムーバブルヘッド６側のレールブロック２３の全体あるいは一部を取り換え可能とすれば、増し締め時のろ布、ダイアフラムの圧縮代の変動およびろ過室の増減に対応できる。また、ろ板４からの圧入・圧搾反力に応じて、適宜、形状や設置数を選択できる。
【００２０】
図７は可動式レールブロックの詳細図であって、可動式レールブロック２４はレール３に止着するケース２５と、ケース２５の上方あるいは下方からケース２５の内部へ挿通する調整ボルト２６と、ケース２５の内部で調整ボルト２６に螺着された内部ブロック２７と、内部ブロック２７の傾斜面と接触してケース２５の外部に一部を突出している外部ブロック２８とから構成している。
調整ボルト２６を回転することによって、調整ボルト２６の先端の螺着量が増減し、内部ブロック２７が上下に移動する。閉板方向が開放されたケース２５の一辺から突出している外部ブロック２８と、ケース２５内部で上下に移動する内部ブロック２７はそれぞれの傾斜面で摺動自在に接触しており、内部ブロック２７の上下動に連動して外部ブロック２８は前後に移動する。調整ボルト２６はケース２５の一辺に公知の方法で摺動自在、前後進不能に挿入する。なお、符号２９は可動式レールブロックをレールに取り付けるための取付孔である。
【００２１】
レールブロック１８、２３をこのように構成すると、調整ボルト２６の回転量を調節することにより、外部ブロック２８の突出量を調整でき、レールブロック２８、２３の前面に挿入されるロック１５、２０とレールブロック２８、２３の後面との隙間を最小に抑えることができる。
【実施例】
【００２２】
次に、フィルタープレスの脱水方法を詳述する。
（イ）
先ず、フィルタープレス１のろ板４を閉板する。具体的には、図２に示すように、駆動機９を駆動して駆動チェーン８を回動し、締付装置台５をろ板４の開板方向に移動させてろ板４…を順次押圧する。
【００２３】
（ロ）
次に、図２の破線に示すように、締付装置台５に配設した電動シリンダ１６を作動してロック１５をレール３側に回動させる。この時、締付装置台５とムーバブルヘッド６の間隔は、押圧杆１３が収縮しているため最接近した状態となっている。
【００２４】
（ハ）
そして、締付装置台５に搭載した締付装置１１を駆動すると、図３に示すように、押圧杆１３が伸長し、ムーバブルヘッド６をろ板４…側に移動させると共に、締付装置台５をろ板４…と離間させる方向に移動させ、締付装置台５のロック１５とレールブロック１８が係合する。締付装置台５のロック１５とレールブロック１８が係合した状態で、さらに締付装置１１を駆動すると、押圧杆１３が伸長してムーバブルヘッド６をろ板４の方向へ移動させる。ろ板４…は増し締めされて密着する。この時、締付装置台５とムーバブルヘッド６の間隔は、押圧杆１３が伸長しているため最離間した状態となっている。
【００２５】
（ニ）
この状態で、ろ板４，４間に形成したろ過室内に原液を供給する。原液の供給圧力は低いので、ろ板４からかかる締付装置１１（電動シリンダ）への反力は小さく、締付装置１１の負荷（対抗力）は特別なものを必要としない。また、締付装置１１で増し締めを行っているので、ろ板４，４間から原液が漏洩することはない。
【００２６】
（ホ）
原液圧入後、図３に示すムーバブルヘッド６の背面の電動シリンダ２１を作動してロック２０をレール３のレールブロック２３に係合させて、締付けたろ板４…の後退を阻止する。
【００２７】
（ヘ）
図８に示すように、締付装置１１を収縮して押圧杆１３の先端部をムーバブルヘッド６から切り離す。このとき、締付装置１１の先端部が締付シリンダ連結具に当接しない距離だけ押圧杆１３を収縮する。
【００２８】
（ト）
この状態で、ろ板４，４間に形成したろ過室内に張設した圧搾装置（ダイアフラム）を作動させて、脱水ケーキの圧搾を開始する。圧搾時にかかるろ板４…からの反力は大きいが、ムーバブルヘッド６のロック２０からレールブロック２３を経てレール３で受けるため、ろ板４を締め付けるための対抗力に特別な動力を必要としない。また、締付装置１１もムーバブルヘッド６から切り離しているため、締付装置１１にはろ板４…からの反力はかからない。
【産業上の利用可能性】
【００２９】
本発明に係るフィルタープレスの脱水方法並びに閉板装置は、原液の圧入時は締付装置により圧入時の反力を受け、圧搾時のろ板からの大きな反力（背圧）はフィルタープレス本体で受けるため、締付装置を小容量、軽量化が可能である。
締付装置が軽量となるので、締付装置台も軽量となり、小動力でのろ板の開板が可能となる。特にろ過面積の大きなろ板、あるいは多数のろ過室を有する大型のフィルタープレスにおいて有用となる。
【符号の説明】
【００３０】
１  フィルタープレス
２  フレーム
３  レール
４  ろ板
５  締付装置台
６  ムーバブルヘッド
１１  締付装置
１５，２０  ロック
１６，２１  電動シリンダ
１７，２２  ピストンロッド
１８，２３  レールブロック
２４  可動式レールブロック
２５  ケース
２６  調整ボルト
２７  内部ブロック
２８  外部ブロック
【図１】
2014079684.tif 000003
【図２】
2014079684.tif 000004
【図３】
2014079684.tif 000005
【図４】
2014079684.tif 000006
【図５】
2014079684.tif 000007
【図６】
2014079684.tif 000008
【図７】
2014079684.tif 000009
【図８】
2014079684.tif 000010